(57)【特許請求の範囲】
【請求項１】
ロジック動作用の適正電源電圧とモータ駆動用の適正電源電圧との組み合わせが異なる複数種のディスク装置を対象に、任意の１種のディスク装置が本体の回路基板に回路接続されて実装されるコンピュータ機器に於いて、
前記実装されたディスク装置にモータ駆動用の電源を供給する第１の電源供給ラインと、
前記実装されたディスク装置にロジック動作用の電源を供給する第２の電源供給ラインと、
前記第２の電源供給ラインに、前記第１の電源供給ライン上の第１の電源、若しくは前記第１の電源と電圧値が異なる第２の電源を選択して供給する電源選択回路とを設けて、
前記複数種のディスク装置に対し、前記回路基板を共通化したことを特徴とするコンピュータ機器。
【請求項２】
前記選択回路は、前記回路基板上の予め定められた位置に、前記第１の電源供給ラインと前記第２の電源供給ラインとを選択的に接続するための短絡素子実装用の第１のパターン、および前記第２の電源が供給される電源ラインと前記第２の電源供給ラインとを選択的に接続するための短絡素子実装用の第２のパターンを有して、前記第１、第２のパターン上のいずれか一方に短絡素子を選択的に実装することにより、前記第２の電源供給ラインに、前記第１の電源供給ライン上の第１の電源、若しくは前記第１の電源と電圧値が異なる第２の電源を出力することを特徴とする請求項１記載のコンピュータ機器。
【請求項３】
前記実装されたディスク装置に、モータ駆動用の電源として、前記第２の電源を供給する第３の電源供給ラインを設けた請求項１記載のコンピュータ機器。
【請求項４】
ロジック動作用の適正電源電圧とモータ駆動用の適正電源電圧との組み合わせが異なる複数の電源タイプのディスク装置を対象に、任意の電源タイプのディスク装置が接続インタフェースを介し本体の回路基板に回路接続されて実装されるコンピュータ機器に於いて、
前記接続インタフェースに接続されたディスク装置のロジック動作用電源およびモータ駆動用電源となる、電圧値の異なる複数種の電源が供給された複数の電源ラインと、
前記接続インタフェースに接続されたディスク装置にモータ駆動用の電源を供給する第１の電源供給ラインと、
前記接続インタフェースに接続されたディスク装置にロジック動作用の電源を供給する第２の電源供給ラインと、
前記接続インタフェースに設けられた特定の信号線の信号をもとに、前記接続インタフェースに接続されたディスク装置の電源タイプを識別し識別結果の信号を出力する識別手段と、
前記識別手段の出力信号をもとに、前記複数の電源ラインから、前記接続インタフェースに接続されたディスク装置に供給するロジック動作用電源、およびモータ駆動用電源を選択し、前記選択したモータ駆動用電源を前記第１の電源供給ラインに出力し、前記選択したロジック動作用電源を前記第２の電源供給ラインに出力する選択回路とを具備して、
前記複数種のディスク装置に対し、前記回路基板を共通化したことを特徴とするコンピュータ機器。
【請求項５】
前記ディスク装置の接続インタフェースは、フレキシブルケーブルとコネクタとを含み、前記フレキシブルケーブルに含まれる特定の信号線の信号が前記識別手段に供給される請求項４記載のコンピュータ機器。
【請求項６】
ロジック動作用の適正電源電圧とモータ駆動用の適正電源電圧との組み合わせが異なる複数の電源タイプのディスク装置を対象に、任意の電源タイプのディスク装置が接続インタフェースを介し本体の回路基板に回路接続されて実装されるコンピュータ機器に於いて、
前記接続インタフェースに接続されたディスク装置にモータ駆動用の電源を供給する第１の電源供給ラインと、
前記接続インタフェースに接続されたディスク装置にロジック動作用の電源を供給する第２の電源供給ラインと、
初期化処理の実行時に、前記接続インタフェースに接続されたディスク装置内のロジックにコマンドを送出して、その応答情報から前記接続インタフェースに接続されたディスク装置の電源タイプを判定し、判定した電源タイプに固有の選択制御信号を出力する処理手段と、
前記処理手段により出力された選択制御信号に従い、電圧値を異にする複数種の電源から、前記接続インタフェースに接続されたディスク装置に供給するロジック動作用電源、およびモータ駆動用電源を選択し、前記選択したモータ駆動用電源を前記第１の電源供給ラインに出力し、前記選択したロジック動作用電源を前記第２の電源供給ラインに出力する電源供給制御手段とを具備して、
前記複数種のディスク装置に対し、前記回路基板を共通化したことを特徴とするコンピュータ機器。
【発明の詳細な説明】
【０００１】
【発明の属する技術分野】
本発明は、ロジック動作用の適正電源電圧とモータ駆動用の適正電源電圧との組み合わせが異なる複数種のディスク装置、若しくは一部の回路が動作可能電圧を異にする複数種のディスク装置を対象に、任意のディスク装置が本体の回路基板に回路接続されて実装される機器構成に適用して好適なコンピュータ機器に関する。
【０００２】
【従来の技術】
従来、携帯型のパーソナルコンピュータに用いられる２．５インチハードディスク装置（以下ＨＤＤと称す）は、内部ロジック動作用の定格電源電圧とモータ駆動用の定格電源電圧とが共に５Ｖであった。以下、この２．５インチＨＤＤを５Ｖ単一電源ＨＤＤと称す。近年では、上記した５Ｖ単一電源ＨＤＤに加えて、モータ駆動用の定格電源電圧を５Ｖ、内部ロジック動作用の適正電源電圧を３Ｖ（正確には３．３Ｖ）とした、２．５インチＨＤＤ（以下マルチボルテージＨＤＤと称す）や、モータ駆動用および内部ロジック動作用の各適正電源電圧を共に３Ｖとした１．８インチＨＤＤが開発され、用いられるようになってきた。ここでは電源電圧の組み合わせが異なる上記各機種を電源タイプと称す。この種、各ＨＤＤは、フレキシブルケーブルにより、本体基板に回路接続されて共に同一筐体内に実装される。尚上記した２．５インチＨＤＤは、各電源タイプ（５Ｖ単一電源ＨＤＤ／マルチボルテージＨＤＤ）でコネクタ接続を共通化している。従って内部ロジック動作用電源は回路基板上の同一のコネクタ端子位置より供給される。
【０００３】
このように、ロジック動作用の適正電源電圧とモータ駆動用の適正電源電圧との組み合わせが異なる複数種のＨＤＤに対して、この種ＨＤＤを内蔵する小型パーソナルコンピュータに於いては、実装するＨＤＤの電源タイプ（５Ｖ単一電源ＨＤＤ／マルチボルテージＨＤＤ／１．８インチＨＤＤ）毎に、それぞれ本体基板を作成し、実装ＨＤＤに動作用電源を供給していた。この際、マルチボルテージＨＤＤの内部ロジックの耐圧を５Ｖ以上とすることで、マルチボルテージＨＤＤを５Ｖ単一電源で動作可能であるが、消費電力が増大することから、バッテリィ駆動が可能な小型パーソナルコンピュータには適用できない。
【０００４】
【発明が解決しようとする課題】
上述したように、従来では、実装するＨＤＤの電源タイプ（５Ｖ単一電源ＨＤＤ／マルチボルテージＨＤＤ／１．８インチＨＤＤ）毎に、それぞれ本体基板を作成していたことから、製品コスト並びに製品管理の面で問題があった。また、５Ｖ単一電源ＨＤＤと、マルチボルテージＨＤＤとで、本体基板を共用すると、マルチボルテージＨＤＤの実装時に於いて、消費電力が増大し、省電力化が図れないという問題があった。
【０００５】
本発明は上記実情に鑑みなされたもので、実装するディスク装置の電源タイプ毎に、それぞれ本体基板を作成する必要なく、各種電源タイプのディスク装置を実装対象に本体基板を共通化でき、これにより製品コストの低減化並びに製品管理の省力化が図れるとともに、省電力化が図れるコンピュータ機器および異種電源ディスク装置の実装支援方法を提供することを目的とする。
【０００６】
【課題を解決するための手段】
本発明は、ロジック動作用の適正電源電圧とモータ駆動用の適正電源電圧との組み合わせが異なる複数種のディスク装置を対象に、任意の１種のディスク装置が本体の回路基板に回路接続されて実装されるコンピュータ機器に於いて、前記実装されたディスク装置にモータ駆動用の電源を供給する第１の電源供給ラインと、前記実装されたディスク装置にロジック動作用の電源を供給する第２の電源供給ラインと、前記第２の電源供給ラインに、前記第１の電源供給ライン上の第１の電源、若しくは前記第１の電源と電圧値が異なる第２の電源を選択して供給する電源選択回路とを設けて、前記複数種のディスク装置に対し、前記回路基板を共通化したことを特徴とする。
【０００７】
この構成によれば、前記選択回路に於いて、前記第１の電源供給ラインと前記第２の電源供給ラインとの間、若しくは前記第２の電源が供給される電源ラインと前記第２の電源供給ラインとの間のいずれかを短絡回路素子（ジャンパチップ）で選択的に接続することにより、第２の電源供給ラインに供給する電源電圧を任意に選択できることから、前記回路基板上の短絡回路素子の実装（マウント）位置を変えるのみで、実装される各種電源タイプのディスク装置に対して、それぞれに適合したロジック動作用電源およびモータ駆動用電源を供給できるとともに、各種電源タイプのディスク装置に対して前記回路基板を共通化できる。
【００１０】
また、本発明は、ロジック動作用の適正電源電圧とモータ駆動用の適正電源電圧との組み合わせが異なる複数の電源タイプのディスク装置を対象に、任意の電源タイプのディスク装置が接続インタフェースを介し本体の回路基板に回路接続されて実装されるコンピュータ機器に於いて、前記接続インタフェースに接続されたディスク装置のロジック動作用電源およびモータ駆動用電源となる、電圧値の異なる複数種の電源が供給された複数の電源ラインと、前記接続インタフェースに接続されたディスク装置にモータ駆動用の電源を供給する第１の電源供給ラインと、前記接続インタフェースに接続されたディスク装置にロジック動作用の電源を供給する第２の電源供給ラインと、前記接続インタフェースに設けられた特定の信号線の信号をもとに、前記接続インタフェースに接続されたディスク装置の電源タイプを識別し識別結果の信号を出力する識別手段と、前記識別手段の出力信号をもとに、前記複数の電源ラインから、前記接続インタフェースに接続されたディスク装置に供給するロジック動作用電源、およびモータ駆動用電源を選択し、前記選択したモータ駆動用電源を前記第１の電源供給ラインに出力し、前記選択したロジック動作用電源を前記第２の電源供給ラインに出力する選択回路とを具備して、前記複数種のディスク装置に対し、前記回路基板を共通化したことを特徴とする。
【００１１】
この構成によれば、単にディスク装置を前記回路基板に接続するのみで、その実装ディスク装置の電源タイプに適合したロジック動作用電源およびモータ駆動用電源を実装ディスク装置に供給できるとともに、各種電源タイプのディスク装置に対して前記回路基板を共通化できる。
【００１４】
また、本発明は、ロジック動作用の適正電源電圧とモータ駆動用の適正電源電圧との組み合わせが異なる複数の電源タイプのディスク装置を対象に、任意の電源タイプのディスク装置が接続インタフェースを介し本体の回路基板に回路接続されて実装されるコンピュータ機器に於いて、前記接続インタフェースに接続されたディスク装置にモータ駆動用の電源を供給する第１の電源供給ラインと、前記接続インタフェースに接続されたディスク装置にロジック動作用の電源を供給する第２の電源供給ラインと、初期化処理の実行時に、前記接続インタフェースに接続されたディスク装置内のロジックにコマンドを送出して、その応答情報から前記接続インタフェースに接続されたディスク装置の電源タイプを判定し、判定した電源タイプに固有の選択制御信号を出力する処理手段と、前記処理手段により出力された選択制御信号に従い、電圧値を異にする複数種の電源から、前記接続インタフェースに接続されたディスク装置に供給するロジック動作用電源、およびモータ駆動用電源を選択し、前記選択したモータ駆動用電源を前記第１の電源供給ラインに出力し、前記選択したロジック動作用電源を前記第２の電源供給ラインに出力する電源供給制御手段とを具備して、前記複数種のディスク装置に対し、前記回路基板を共通化したことを特徴とする。
【００１５】
この構成によれば、簡単なハードウェア構成にて、実装されたディスク装置に対し、当該ディスク装置の電源タイプに適合したロジック動作用電源およびモータ駆動用電源を供給できるとともに、各種電源タイプのディスク装置に対して前記回路基板を共通化できる。
【００１６】
【発明の実施の形態】
以下、図面を参照して本発明の実施形態を説明する。尚、本実施形態では、実装対象（電源制御の対象）となるディスク装置を、５Ｖ単一電源のＨＤＤと、３Ｖ／５ＶのマルチボルテージＨＤＤと、３Ｖ単一電源の１．８インチＨＤＤとの３電源タイプのＨＤＤとしている。また、本実施形態で扱うＨＤＤ電源の電圧は、正確には、５Ｖと、３．３Ｖであるが、本実施形態説明では３．３Ｖの電源に関し、簡略して、３Ｖとして表記している。
【００１７】
まず、図１および図２を参照して本発明の第１実施形態を説明する。
【００１８】
図１は本発明の第１実施形態に於ける要部の構成を示すブロック図である。
【００１９】
パーソナルコンピュータの本体基板（以下ＰＣ本体基板と称す）１０には、ＨＤＤ接続インタフェースを介してＨＤＤ２０が実装される。ここで、上記ＨＤＤ接続インタフェースは、フレキシブルケーブル３０と、ＰＣ本体基板１０に設けられたＨＤＤ接続コネクタＣ１と、ＨＤＤ２０に設けられたコネクタＣ２とにより構成される。また、上記ＨＤＤ２０は、前述した電源タイプのうちのいずれかのＨＤＤ（５Ｖ単一電源ＨＤＤ／マルチボルテージＨＤＤ／１．８インチＨＤＤ）である。
【００２０】
ＰＣ本体基板１０には、ＨＤＤ動作用の電源ラインとして、５Ｖの電源が供給された電源ライン１１と、３Ｖの電源が供給された電源ライン１２とが設けられる。電源ライン１１上の５Ｖ電源は、コネクタＣ１を介してフレキシブルケーブル３０のモータ駆動用電源供給ラインＶ１に供給される。また、電源ライン１２上の３Ｖ電源は、コネクタＣ１を介してフレキシブルケーブル３０のモータ駆動用電源供給ラインＶ３に供給される。
【００２１】
上記電源ライン１１と電源ライン１２の間には、それぞれジャンパーチップ（Ａ，Ｂ）を短絡回路素子とした、２組の短絡回路素子実装部１３，１４が直列に設けられる。この短絡回路素子実装部１３，１４には、実装されたＨＤＤ２０の電源タイプに応じて、そのいずれか一方に、短絡回路素子（ジャンパーチップＡ、またはジャンパーチップＢ）がマウント（実装）される。
【００２２】
上記電源ライン１１と電源ライン１２との間に直列に接続された２組の短絡回路素子実装部１３，１４の接続点より出力される５Ｖ若しくは３Ｖの電源は、実装ＨＤＤ２０のロジック動作用電源として、フレキシブルケーブル３０のロジック動作用電源供給ラインＶ２に供給される。
【００２３】
図２は上記第１実施形態に於ける、実装されたＨＤＤの電源タイプと、短絡回路素子実装部１３，１４のいずれかに選択的に実装されるジャンパーチップ（Ａ，Ｂ）のマウント対応との関係を示す動作説明図である。
【００２４】
この第１実施形態に於いて、実装するＨＤＤ２０が、例えば５Ｖ単一電源ＨＤＤであるときは、上記ＰＣ本体基板１０上に於いて、短絡回路素子実装部１３にジャンパーチップＡをマウントする。このジャンパーチップＡのマウントにより、フレキシブルケーブル３０のロジック動作用電源供給ラインＶ２には、上記ジャンパーチップＡを介して電源ライン１１上の５Ｖ電源が出力され、当該５Ｖ電源が、実装されたＨＤＤ２０のロジック（ＨＤＣ）に供給される。これによりＨＤＤ２０のロジックには、当該ロジックに適合した５Ｖの動作用電源が供給される。尚、２．５インチＨＤＤの実装時に於いては、電源ライン１１上の５Ｖ電源が、コネクタＣ１を介してフレキシブルケーブル３０のモータ駆動用電源供給ラインＶ１に供給され、実装された２．５インチＨＤＤのモータ駆動用電源となる。
【００２５】
また、実装するＨＤＤ２０が、例えばマルチボルテージＨＤＤであるときは、上記ＰＣ本体基板１０上に於いて、短絡回路素子実装部１４にジャンパーチップＢをマウントする。これにより、フレキシブルケーブル３０のロジック動作用電源供給ラインＶ２には、上記短絡回路素子実装部１４に実装されたジャンパーチップＢを介して電源ライン１２上の３Ｖ電源が出力され、当該３Ｖ電源が、実装されたＨＤＤ２０のロジック（ＨＤＣ）に供給される。これによりＨＤＤ２０のロジックには、当該ロジックに適合した３Ｖの動作用電源が供給される。
【００２６】
また、実装するＨＤＤ２０が、例えば１．８インチＨＤＤであるときは、上記ＰＣ本体基板１０上に於いて、短絡回路素子実装部１４にジャンパーチップＢをマウントする。これにより、フレキシブルケーブル３０のロジック動作用電源供給ラインＶ２には、上記短絡回路素子実装部１４に実装されたジャンパーチップＢを介して電源ライン１２上の３Ｖ電源が出力され、当該３Ｖ電源が、実装されたＨＤＤ２０のロジック（ＨＤＣ）に供給される。これによりＨＤＤ２０のロジックには、当該ロジックに適合した３Ｖの動作用電源が供給される。尚、１．８インチＨＤＤの実装時に於いては、電源ライン１２上の３Ｖ電源が、コネクタＣ１を介してフレキシブルケーブル３０のモータ駆動用電源供給ラインＶ３に供給され、実装された１．８インチＨＤＤのモータ駆動用電源となる。
【００２７】
このように、本発明の第１実施形態によれば、実装されるＨＤＤの電源タイプに応じて、短絡回路素子（ジャンパチップ）のマウント位置を選ぶことで、実装されたＨＤＤに適合したロジック動作用電源およびモータ駆動用電源を供給でき、かつ各種電源タイプのＨＤＤに対してＰＣ本体基板１０を共通化できる。尚、上記した第１実施形態に於いては、
次に、図３および図４を参照して本発明の第２実施形態を説明する。
【００２８】
図３は本発明の第２実施形態に於ける要部の構成を示すブロック図である。
【００２９】
パーソナルコンピュータの本体基板（以下ＰＣ本体基板と称す）１００には、ＨＤＤ接続インタフェースを介して、機器本体に実装されたＨＤＤ２００が回路接続される。ここで、上記ＨＤＤ接続インタフェースは、フレキシブルケーブル３００と、ＰＣ本体基板１０に設けられた図示しないＨＤＤ接続コネクタ、およびＨＤＤ２００に設けられたコネクタとにより構成される。また、上記機器本体に実装されたＨＤＤ２００は、前述した電源タイプのうちのいずれかのＨＤＤ（５Ｖ単一電源ＨＤＤ／マルチボルテージＨＤＤ／１．８インチＨＤＤ）である。
【００３０】
ＰＣ本体基板１００には、ＨＤＤ動作用の電源ラインとして、５Ｖの電源が供給された電源ライン１０１と、３Ｖの電源が供給された電源ライン１０２とが設けられる。この電源ライン１０１上の５Ｖ電源、および電源ライン１０２上の３Ｖ電源は、それぞれ後述するＨＤＤ供給電源制御回路１１０により選択制御され、フレキシブルケーブル３００を介して、機器本体に実装されたＨＤＤ２００に供給される。
【００３１】
また、ＰＣ本体基板１００には、実装されたＨＤＤ２００に、モータ駆動用電源、およびロジック動作用電源を供給制御するＨＤＤ供給電源制御回路１１０が設けられ、更に、このＨＤＤ供給電源制御回路１１０には、ＨＤＤの電源タイプを判定するＨＤＤタイプ判定部１１１、および供給電源切換部１１２が設けられる。この供給電源切換部１１２は、２つの切換スイッチＳＷ１，ＳＷ２を用いて構成される。ここでは切換スイッチＳＷ１がロジック動作用電源の選択回路を構成し、切換スイッチＳＷ２がモータ駆動用電源の選択回路を構成する。
【００３２】
上記電源ライン１０１上の５Ｖ電源、および電源ライン１０２上の３Ｖ電源は、それぞれＨＤＤ供給電源制御回路１１０に設けられた供給電源切換部１１２の切換スイッチＳＷ１，ＳＷ２に供給される。
【００３３】
切換スイッチＳＷ１は、ロジック動作用電源の選択回路を構成し、ＨＤＤタイプ判定部１１１の制御の下に、電源ライン１０１上の５Ｖ電源、若しくは電源ライン１０２上の３Ｖ電源をロジック動作用電源として選択し、その選択した電源をフレキシブルケーブル３００のロジック動作用電源ライン３１１に出力する。
【００３４】
切換スイッチＳＷ２は、モータ駆動用電源の選択回路を構成し、ＨＤＤタイプ判定部１１１の制御の下に、電源ライン１０１上の５Ｖ電源、若しくは電源ライン１０２上の３Ｖ電源をモータ駆動用電源として選択し、その選択した電源をフレキシブルケーブル３００のモータ駆動用電源ライン３１２に出力する。
【００３５】
フレキシブルケーブル３００の予め定められた２本の信号線は、ＨＤＤタイプの識別信号線３０１，３０２として、ＰＣ本体基板１００側で抵抗Ｒ１，Ｒ２によりプルアップされる。この識別信号線３０１，３０２の各各識別信号（ｄ１，ｄ２）はＨＤＤ供給電源制御回路１１０に設けられたＨＤＤタイプ判定部１１１に入力される。
【００３６】
ＨＤＤタイプ判定部１１１は、上記各識別信号線３０１，３０２上の各識別信号（ｄ１，ｄ２）の値（Ｈｉｇｈ／Ｌｏｗ）から、実装されたＨＤＤ２００が、いずれの電源タイプのＨＤＤ（５Ｖ単一電源ＨＤＤ／マルチボルテージＨＤＤ／１．８インチＨＤＤ）であるかを判定し、その判定結果に応じて、供給電源切換部１１２の切換スイッチＳＷ１，ＳＷ２を切換制御する。
【００３７】
この際の、上記各識別信号線３０１，３０２の信号レベル（Ｏｐｅｎ／Ｇｒａｎｄ）と、上記各識別信号（ｄ１，ｄ２）の値（Ｈｉｇｈ／Ｌｏｗ）と、ロジック動作用電源ライン３１１およびモータ駆動用電源ライン３１２へ出力される電源電圧との関係を図４に示している。
【００３８】
この第２実施形態に於いては、５Ｖ単一電源ＨＤＤが、ＨＤＤ２００として実装されたとき、上記各識別信号（ｄ１，ｄ２）の値がそれぞれハイレベル（Ｈｉｇｈ）となるように、上記フレキシブルケーブル３００上の識別信号線３０１，３０２をそれぞれオープン（Ｏｐｅｎ）にしておく。また、マルチボルテージＨＤＤが、ＨＤＤ２００として実装されたとき、上記各識別信号（ｄ１，ｄ２）の値がｄ１のみロウレベル（Ｌｏｗ）となるように、上記フレキシブルケーブル３００上の識別信号線３０１を接地電位（Ｇｒａｎｄ）にしておく。また、１．８インチＨＤＤが、ＨＤＤ２００として実装されたとき、上記各識別信号（ｄ１，ｄ２）の値がそれぞれロウレベル（Ｌｏｗ）となるように、上記フレキシブルケーブル３００上の識別信号線３０１，３０２をそれぞれ接地電位（Ｇｒａｎｄ）にしておく。これらの設定はフレキシブルケーブル３００上またはＨＤＤ２０側で簡単に行える。
【００３９】
ＨＤＤ供給電源制御回路１１０に設けられたＨＤＤタイプ判定部１１１は、識別信号線３０１，３０２上の各識別信号（ｄ１，ｄ２）の値がそれぞれハイレベル（Ｈｉｇｈ）であるとき、供給電源切換部１１２の切換スイッチＳＷ１，ＳＷ２が、共に電源ライン１０１上の５Ｖ電源を選択するように切換制御を行う。これにより、フレキシブルケーブル３００のロジック動作用電源ライン３１１、およびモータ駆動用電源ライン３１２には、それぞれ機器本体に実装されたＨＤＤ２００（５Ｖ単一電源ＨＤＤ）に適合する、５Ｖのモータ駆動用電源、および５Ｖのロジック動作用電源が供給される。
【００４０】
また、上記識別信号線３０１，３０２上の各識別信号（ｄ１，ｄ２）のうち、ｄ１のみ、値がロウレベル（Ｌｏｗ）であるとき、ＨＤＤタイプ判定部１１１は、供給電源切換部１１２の切換スイッチＳＷ１が電源ライン１０２上の３Ｖ電源を選択し、切換スイッチＳＷ２が電源ライン１０１上の５Ｖ電源を選択するように切換制御を行う。これにより、フレキシブルケーブル３００のロジック動作用電源ライン３１１には、機器本体に実装されたＨＤＤ２００（マルチボルテージＨＤＤ）に適合する、３Ｖのロジック動作用電源が供給され、モータ駆動用電源ライン３１２には、５Ｖのモータ駆動用電源が供給される。
【００４１】
また、上記識別信号線３０１，３０２上の各識別信号（ｄ１，ｄ２）の値がそれぞれロウレベル（Ｌｏｗ）であるとき、ＨＤＤタイプ判定部１１１は、供給電源切換部１１２の切換スイッチＳＷ１，ＳＷ２が、共に電源ライン１０２上の３Ｖ電源を選択するように切換制御を行う。これにより、フレキシブルケーブル３００のロジック動作用電源ライン３１１、およびモータ駆動用電源ライン３１２には、それぞれ機器本体に実装されたＨＤＤ２００ＨＤＤ（１．８インチＨＤＤ）に適合する、３Ｖのモータ駆動用電源と、３Ｖのロジック動作用電源が供給される。
【００４２】
このように、本発明の第２実施形態によれば、単にＨＤＤ２００をフレキシブルケーブル３００等の接続インタフェースを介してＰＣ本体基板１００に接続するのみで、その実装されたＨＤＤ２００の電源タイプに適合したロジック動作用電源およびモータ駆動用電源を実装ＨＤＤ２００に供給でき、省電力化を図ることができるとともに、実装対象となる各種ＨＤＤ（５Ｖ単一電源ＨＤＤ／マルチボルテージＨＤＤ／１．８インチＨＤＤ）に対して、それぞれＰＣ本体基板１００を共通化できる。
【００４３】
次に、図５および図６を参照して本発明の第３実施形態を説明する。
【００４４】
図５は本発明の第３実施形態に於ける要部の構成を示すブロック図である。
【００４５】
この第３実施形態によるコンピュータには、図示するように、ＣＰＵ４０１、ノースブリッジ（Ｎｏｒｔｈ  Ｂｒｉｄｇｅ）４０２、サウスブリッジ（Ｓｏｕｔｈ  Ｂｒｉｄｇｅ）４０３、ＢＩＯＳ−ＲＯＭ４０４、ＨＤＣ供給電圧制御部４０５、ＨＤＤ４０６、電源供給部４０７等を有して構成される。
【００４６】
ＣＰＵ４０１は、システム全体の制御を司るもので、ここでは、ＢＩＯＳ−ＲＯＭ４０４に格納された制御プログラム（ＢＩＯＳ）に含まれる初期化処理ルーチンに於いて、図６に示す、実装ＨＤＤの電源供給制御処理を実行し、マルチボルテージＨＤＤを含む各種ＨＤＤの接続サポートを行う。
【００４７】
ノースブリッジ（Ｎｏｒｔｈ  Ｂｒｉｄｇｅ）４０２は、ＣＰＵ４０１のローカルバスとＰＣＩバス４１１との間を双方向で接続するブリッジデバイスであり、サウスブリッジ（Ｓｏｕｔｈ  Ｂｒｉｄｇｅ）４０３は、ＰＣＩバス４１１とＩＳＡバス若しくはＬＰＣバス４１２との間を双方向で接続するブリッジデバイスである。
【００４８】
このサウスブリッジ（Ｓｏｕｔｈ  Ｂｒｉｄｇｅ）４０３には、本コンピュータの外部記憶となるＨＤＤ４０６が専用バス４１３を介して接続される。本実施形態では、このＨＤＤ４０６として、５Ｖ単一電源ＨＤＤ、マルチボルテージＨＤＤ、１．８インチＨＤＤのいずれかが実装される。
【００４９】
ＨＤＣ供給電圧制御部４０５は、ＣＰＵ４０１より受けたコマンドの指示に従い、制御信号線４１４を介して電源供給部４０７の電源供給制御を行う。電源供給部４０７は、制御信号線４１４を介してＨＤＣ供給電圧制御部４０５より受けた制御信号に従い、モータ駆動用電源供給ライン４１７、およびロジック動作用電源供給ライン４１８を介して、実装ＨＤＤ４０６に、モータ駆動用電源およびロジック動作用電源を供給する。
【００５０】
ここで、図６に示すフローチャートを参照して本発明の第３実施形態に於ける実装ＨＤＤの電源供給制御処理動作を説明する。
【００５１】
システム電源が投入されると（パワーオンになると）、ＣＰＵ４０１は、ＢＩＯＳ−ＲＯＭ４０４に格納された制御プログラム（ＢＩＯＳ）に従い、図６に示す初期化処理を実行する。この際、パワーオンに伴って、実装ＨＤＤ４０６には、初期動作電源として、５Ｖのモータ駆動用電源およびロジック動作用電源が供給される（ステップＳ１）。
【００５２】
ＣＰＵ４０１は、ＢＩＯＳの起動による初期化処理に於いて、専用バス４１３を介し、実装ＨＤＤ４０６内のロジック（ＨＤＣ）に、型番取得のためのコマンドを送出し（ステップＳ２〜Ｓ４）、実装ＨＤＤ４０６内のＨＤＣより型番情報を取得して（ステップＳ５）、その型番情報から、実装ＨＤＤ４０６の電源タイプを判定する（ステップＳ６）。
【００５３】
ここで、実装ＨＤＤ４０６が、５Ｖ単一電源ＨＤＤであると判定した際は、ＨＤＣ供給電圧制御部４０５に、ロジック動作用電源を５Ｖ、モータ駆動用電源を５Ｖに設定するコマンドＡを送出する（ステップＳ７ａ）。また、実装ＨＤＤ４０６が、マルチボルテージＨＤＤであると判定した際は、ＨＤＣ供給電圧制御部４０５に、ロジック動作用電源を３Ｖ、モータ駆動用電源を５Ｖに設定するコマンドＢを送出する（ステップＳ７ｂ）。また、実装ＨＤＤ４０６が、１．８インチＨＤＤであると判定した際は、ＨＤＣ供給電圧制御部４０５に、ロジック動作用電源を３Ｖ、モータ駆動用電源を３Ｖに設定するコマンドＣを送出する（ステップＳ７ｃ）。
【００５４】
ＨＤＣ供給電圧制御部４０５は、ＣＰＵ４０１から、上記コマンドを受けると、そのコマンドに従い、電源供給部４０７を制御して、モータ駆動用電源供給ライン４１７、およびロジック動作用電源供給ライン４１８を介して、実装ＨＤＤ４０６に、適正な電圧のモータ駆動用電源およびロジック動作用電源を供給する。即ち、ＨＤＣ供給電圧制御部４０５は、ＣＰＵ４０１から、コマンドＡを受けると、電源供給部４０７を制御して、モータ駆動用電源供給ライン４１７、およびロジック動作用電源供給ライン４１８のそれぞれに、５Ｖの電源を出力する。また、コマンドＢを受けると、モータ駆動用電源供給ライン４１７に５Ｖの電源を出力し、ロジック動作用電源供給ライン４１８に３Ｖの電源を出力する。また、コマンドＣを受けると、モータ駆動用電源供給ライン４１７、およびロジック動作用電源供給ライン４１８のそれぞれに、３Ｖの電源を出力する。
【００５５】
このように、本発明の第３実施形態によれば、簡単なハードウェア構成で、実装されたＨＤＤ４０６の電源タイプに適合したロジック動作用電源およびモータ駆動用電源を実装ＨＤＤ４０６に供給でき、省電力化を図ることができるとともに、実装対象となる各種ＨＤＤ（５Ｖ単一電源ＨＤＤ／マルチボルテージＨＤＤ／１．８インチＨＤＤ）に対して、それぞれＰＣ本体基板を共通化できる。
【００５６】
尚、上記した第３実施形態では、マルチボルテージＨＤＤのロジック、および１．８インチＨＤＤのロジックおよびモータを５Ｖ耐圧として、初期動作させているが、例えば、初期電源として、ロジック動作用電源の電圧をマルチボルテージＨＤＤに内蔵するロジック（ＨＤＣ）のスレッショルド電圧に近い動作可能電圧とし、コマンドの応答を監視して、正常応答がないときに、ロジック動作用電源を昇圧する制御を付加することも可能である。
【００５７】
また、上記した各実施形態に於いては、５Ｖ単一電源のＨＤＤと、３Ｖ／５ＶのマルチボルテージＨＤＤと、３Ｖ単一電源の１．８インチＨＤＤとの３電源タイプのＨＤＤを電源制御の対象としたが、これに限らず、例えば２．５インチの５Ｖ単一電源ＨＤＤと、３Ｖ／５ＶのマルチボルテージＨＤＤとを制御の対象としてもよく、または上記したＨＤＤ以外の複数電源を必要とするＨＤＤ、ＤＶＤ−ＲＡＭ、光磁気ディスク装置、フロッピィディスク装置等の各種ディスク装置を電源制御の対象としても本発明を実現することができる。また、記憶媒体、駆動方式等を異にする複数種のディスク装置を実装対象としたシステム、上記ディスク装置と他の大容量ストレージデバイスを実装対象としたシステム、駆動部の動作可能電圧が異なる複数種のディスク装置を対象にいずれかのディスク装置が実装されるシステム等に於いてもそれぞれ本発明を適用できる。
【００５８】
【発明の効果】
以上詳記したように本発明によれば、実装するディスク装置の電源タイプ毎に、それぞれ本体基板を作成する必要なく、各種電源タイプのディスク装置を実装対象に本体基板を共通化できる。
【図面の簡単な説明】
【図１】本発明の第１実施形態に於けるコンピュータ機器の構成を示すブロック図。
【図２】上記第１実施形態の動作説明図。
【図３】本発明の第２実施形態に於けるコンピュータ機器の構成を示すブロック図。
【図４】上記第２実施形態の動作説明図。
【図５】本発明の第３実施形態に於けるコンピュータ機器の構成を示すブロック図。
【図６】上記第３実施形態の処理手順を示すフローチャート。
【符号の説明】
１０…パーソナルコンピュータの本体基板（ＰＣ本体基板）
１１…５Ｖ電源ライン
１２…３Ｖ電源ライン
１３…短絡回路素子実装部
１４…短絡回路素子実装部
２０…ハードディスク装置（ＨＤＤ）
３０…フレキシブルケーブル
Ｃ１…コネクタ
Ｃ２…コネクタ
Ａ…ジャンパーチップ
Ｂ…ジャンパーチップ
１００…パーソナルコンピュータの本体基板（ＰＣ本体基板）
１０１…５Ｖ電源ライン
１０２…３Ｖ電源ライン
１１０…ＨＤＤ供給電源制御回路
１１１…ＨＤＤタイプ判定部
１１２…供給電源切換部
ＳＷ１…切換スイッチ
ＳＷ２…切換スイッチ
２００…ハードディスク装置（ＨＤＤ）
３００…フレキシブルケーブル
３０１…識別信号線
３０２…識別信号線
３１１…ロジック動作用電源ライン
３１２…モータ駆動用電源ライン
４０１…ＣＰＵ
４０２…ノースブリッジ（Ｎｏｒｔｈ  Ｂｒｉｄｇｅ）
４０３…サウスブリッジ（Ｓｏｕｔｈ  Ｂｒｉｄｇｅ）
４０４…ＢＩＯＳ−ＲＯＭ
４０５…ＨＤＣ供給電圧制御部
４０６…ハードディスク装置（ＨＤＤ）
４０７…電源供給部
４１１…ＰＣＩバス
４１２…ＩＳＡバス若しくはＬＰＣバス
４１３…専用バス
４１４…制御信号線
４１７…モータ駆動用電源供給ライン
４１８…ロジック動作用電源供給ライン
【図１】
0003673239.tif 000002
【図２】
0003673239.tif 000003
【図３】
0003673239.tif 000004
【図４】
0003673239.tif 000005
【図５】
0003673239.tif 000006
【図６】
0003673239.tif 000007